(57)【特許請求の範囲】
【請求項１】
自車両の情報を表示する表示器を備える車両の表示装置であって、
前記表示器の表示領域は、前記車両の上下方向において上方領域、中央領域及び下方領域に分割され、
前記自車両の将来との関係で前記自車両の空間的又は時間的関係を示す情報を前記上方領域に表示し、
前記自車両の周囲の物体との位置関係を示す情報を前記中央領域に表示し、
前記自車両を操作するための情報を前記下方領域に表示し、
前記上方領域及び前記中央領域の組み合わせ又は前記中央領域及び前記下方領域の組み合わせは、一体として形成される
ことを特徴とする表示装置。
【請求項２】
請求項１記載の表示装置において、
前記上方領域、前記中央領域及び前記下方領域は、一体として形成される
ことを特徴とする表示装置。
【請求項３】
自車両の情報を表示する表示器を備える車両の表示装置であって、
前記表示器の表示領域は、前記車両の上下方向において上方領域、中央領域及び下方領域に分割され、
前記自車両の将来との関係で前記自車両の空間的又は時間的関係を示す情報を前記上方領域に表示し、
前記自車両の周囲の物体との位置関係を示す情報を前記中央領域に表示し、
前記自車両を操作するための情報を前記下方領域に表示し、
前記中央領城に表示される情報と前記下方領域に表示される情報とが互いに連動して表示される
ことを特徴とする表示装置。
【請求項４】
請求項１〜３のいずれか１項に記載の表示装置において、
目的地を設定し、前記目的地までを案内するナビゲーション手段を備え、
前記自車両の将来との関係で前記自車両の空間的又は時間的関係を示す情報は、前記目的地への行程での天気情報、前記目的地への行程での渋滞情報又は前記目的地への行程での経路案内情報であり、
前記自車両の周囲の物体との位置関係を示す情報は、前記自車両と前記自車両の周囲の車両との位置関係情報、前記自車両の方向指示器情報、又は前記自車両と前記自車両の走行している道路の白線との位置関係情報であり、
前記自車両を操作するための情報は、前記自車両の車速情報、前記自車両のエンジン回転数情報、又は前記自車両の内部に関わる警報である
ことを特徴とする表示装置。
【請求項５】
表示部と、前記表示部の表示を制御する表示制御装置とを備える車両であって、
さらに、前記車両は、
前記車両の現在地と目的地との空間的又は時間的関係に関する情報（以下「空間／時間的情報」という。）を検出する空間／時間的情報検出手段と、
前記車両の周囲の障害物に関する情報（以下「周囲情報」という。）を検出する周囲情報検出手段と、
前記車両の操作に関する値（以下「操作関連値」という。）を検出する操作関連値検出手段と
を備え、
前記表示制御装置は、
前記空間／時間的情報検出手段からの前記空間／時間的情報を、前記表示部の表示領域のうち上方領域に表示させ、
前記周囲情報検出手段からの前記周囲情報を、前記表示領域のうち中央領域に表示させ、
前記操作関連値検出手段からの前記操作関連値を、前記表示領域のうち下方領域に表示させ、
前記上方領域及び前記中央領域の組み合わせ又は前記中央領域及び前記下方領域の組み合わせは、一体として形成される
ことを特徴とする車両。
【請求項６】
表示部と、前記表示部の表示を制御する表示制御装置とを備える車両であって、
前記表示制御装置は、
運転に関する上位情報を表示する上位情報表示領域と、
運転に関する中位情報を表示する中位情報表示領域と、
運転に関する下位情報を表示する下位情報表示領域と
を前記表示部の表示領域について設定し、
前記上位情報は、
前記車両の現在地と目的地との空間的又は時間的関係に関する情報（以下「空間的／時間的情報」という。）と、
前記目的地までの予定経路に関する情報（以下「予定経路情報」という。）と、
運転を開始するために乗員が行うべき前提条件に関する情報（以下「前提条件情報」という。）と、
前記空間的／時間的情報、前記予定経路情報又は前記前提条件情報に関する前記車両の一部の異常に関する情報と
の少なくとも１つを含み、
前記中位情報は、
前記車両の周囲との関係に関する情報（以下「周囲情報」という。）と、
運転者の覚醒状態又は健康状態に関する情報（以下「覚醒／健康状態情報」という。）と、
方向指示器の指示方向と、
前記周囲情報、前記覚醒／健康状態情報又は前記方向指示器に関する前記車両の一部の異常に関する情報と
の少なくとも１つを含み、
前記下位情報は、
前記車両の操作に関する少なくとも１つのセンサの値と、
前記車両の操作に関する前記車両の一部の異常に関する情報と
の少なくとも１つを含み、
前記表示制御装置は、前記上位情報表示領域を上側に、前記中位情報表示領域を中央に、及び前記下位情報表示領域を下側に並べて配置し、
前記上位情報表示領域及び前記中位情報表示領域の組み合わせ又は前記中位情報表示領域及び前記下位情報表示領域の組み合わせは、一体として形成される
ことを特徴とする車両。
【発明の詳細な説明】
【技術分野】
【０００１】
この発明は、各種の情報を表示する表示装置及び車両に関する。
【背景技術】
【０００２】
車両用の表示装置が開発されている（特許文献１、２）。特許文献１の車載用メーター表示装置Ａは、アナログメーター部２（Ｌ）、２（Ｒ）とＥＬ表示器４を有する（図１）。左側のアナログメーター部２（Ｌ）は、車速を表示するスピードメーターであり、右側のアナログメーター部２（Ｒ）は、エンジン回転数を表示するスピードメーターである（［００４７］）。また、ＥＬ表示器４は、機械的に回転可能であり（［００５２］）、縦長に配置される第一位置（図３（ａ））と、横長に配置される第二位置（図３（ｂ））とを切り替えることができる（［００５４］）。
【０００３】
第一位置にて表示される表示画像としては、図６（ａ）に示すような自車両の走行状態の画像及び走行案内の方向シンボルの画像があり、第二位置にて表示される表示画像としては、図６（ｂ）に示すような車外撮影用カメラ５０にて撮影された車両前方撮影画像、警告文（「速度オーバーです！」）及び走行案内文（「まもなく料金所です！」）の文字画像がある（［００５６］）。
【０００４】
さらに、特許文献１の図１５には、自車両の進行方向に関連する進行方向関連画像及び自車両の走行状態に関連する走行状態関連画像等が示されている（［００７６］）。図１５の各画像は、図９のＥＬ表示器４００（Ｕ）に表示される（［００７６］）。図１５の画像の中には、自車と先行車の接近距離を示すものがある。
【０００５】
特許文献２では、液晶メータ８における車速計と思われる表示（［０００７］）と、ナビゲーション装置１の画像を横方向に並べて表示する構成（図２）、及び液晶メータ８における車速計と思われる表示と、３段階の車間距離表示図柄１７ａ〜１７ｃ（［００１８］）を横方向に並べて表示する構成（図８）とが示されている。後者の構成（図８）では、先行車と自車の接近度（＝車速×車間距離）に応じて点灯させる図柄１７ａ〜１７ｃを選択する。すなわち、接近度が０％の場合、図柄１７ａを点灯させ、接近度が３０％の場合、図柄１７ｂを点灯させ、接近度が７０％の場合、図柄１７ｃを点灯させる（［００１８］）。
【０００６】
ところで、ヒトの動作は、認知−判断−行動の階層構造的プロセスで説明されることがあるが、近年、認知に先立って予測が存在していることが脳科学から明らかとなってきている。この点に関し、ＴＰ理論（Temporal Predictive behavior model）が提唱されている。ＴＰ理論では、予測−行動−比較という情報処理ループに時間的制約を加えて、ヒトの行動を解析するものである（非特許文献１）。ＴＰ理論では、運転者の運転行動について階層構造を考える。図１０は、運転行動の時間的階層モデルを示す図であり、非特許文献１の図２を簡略的に記載したものである。
【０００７】
図１０に示すように、非特許文献１では、運転者の運転行動を処理周期（時間の窓）が異なるレベルＡ〜Ｅの５段階に分けている。すなわち、レベルＡは、行程（目的地、経路等）又は到着予定時間の計画等に関する戦略レベルであり、処理周期が最も長い（非特許文献の図２、７１頁左欄３２〜３３行目）。
【０００８】
レベルＢは、レベルＡで計画した行程又は予定到着時間を実現又は確認するための情報（例えば、空間的（地理的）又は時間的情報）に関する行動に関する戦術レベルであり、処理周期が２番目に長い（図２、７１頁左欄３８〜４２行目）。戦術レベルの行動には、例えば、現在地の確認、目的地までの距離の確認、案内標識の確認、現在地から目的地までの予定経路（通過予定地点、通過予定道路又は右左折を予定している交差点）の設定又は確認、現時刻の確認、現在地から目的地までの予想所用時間の確認（渋滞情報の確認を含む）及び到着予定時間の修正が含まれる。
【０００９】
レベルＣは、現在の走行路又は周辺車両との関係で必要な行動に関するマヌーバ（行動）レベルであり、戦略レベル及び戦術レベルより短い処理周期である（図２、７１頁左欄４５行目〜右欄３行目）。マヌーバレベルの行動には、例えば、カーブ進入、右左折、車線維持、車線変更、追越し及び車間維持が含まれる。
【００１０】
レベルＤは、車両の操作に関する操作レベルであり、２番目に処理周期が短い。操作レベルの行動は、約３秒後の未来を予測して行う予測制御に関する（図２、７２頁１２〜１３行目）。操作レベルの行動には、例えば、ステアリングの操舵、車両の加速（アクセルペダルの操作）及び制動（ブレーキペダルの操作）が含まれる。
【００１１】
レベルＥは、運動感覚又は知覚レベルであり、最も処理周期が短い。運動感覚又は知覚レベルの行動は、数十ミリ秒（例えば、視覚系であれば２０ミリ秒以下、聴覚系であれば、１ミリ秒以下）の範囲の高周波の神経処理であり、行動決定のための最小の時間的枠組みを作る（図２、７２頁１７〜２０行目）。運動感覚、知覚レベルの行動には、例えば、視覚、聴覚、触覚等の神経情報を取得する行動が含まれる。
【先行技術文献】
【特許文献】
【００１２】
【特許文献１】特開２００８−０３０６３８号公報
【特許文献２】特開２００１−０２１８３６号公報
【非特許文献１】谷田  公二、外３名、「脳科学的見地から構成する安全運転トレーニング」、国際交通安全学会誌、第３３巻、第２号、ｐ．６８〜７６
【発明の概要】
【発明が解決しようとする課題】
【００１３】
非特許文献１の考え方に従えば、特許文献１の図６における矢印アイコン（車両の進路を示す）は、戦術レベル（レベルＢ）の情報であり、図１５の自車と先行車との車間距離は、マヌーバレベル（レベルＣ）の情報であり、アナログメーター部２（Ｌ）、２（Ｒ）における車速及びエンジン回転数の表示は、操作レベル（レベルＤ）の情報であるといえる。
【００１４】
特許文献１では、これらの情報を横方向に並べて表示している（図１及び図９参照）。処理周期が異なるレベルの情報が横方向に並べて表示されると、運転者は、各情報をレベル毎に切り分けて処理しなくてはならず、煩わしさを感じるおそれがある。
【００１５】
この発明はこのような課題を考慮してなされたものであり、車両の走行時における運転者の認識処理を補助することが可能な表示装置及び車両を提供することを目的とする。
【課題を解決するための手段】
【００１６】
この発明に係る表示装置は、自車両の情報を表示する表示器を備える車両の表示装置であって、前記表示器の表示領域は、前記車両の上下方向において上方領域、中央領域及び下方領域に分割され、前記自車両の将来との関係で前記自車両の空間的又は時間的関係を示す情報を前記上方領域に表示し、前記自車両の周囲の物体との位置関係を示す情報を前記中央領域に表示し、前記自車両を操作するための情報を前記下方領域に表示することを特徴とする。
【００１７】
この発明によれば、表示器の表示領域は、車両の上下方向において上方領域、中央領域及び下方領域に分割され、自車両の将来との関係で自車両の空間的又は時間的関係を示す情報を上方領域に表示し、自車両の周囲の物体との位置関係を示す情報を中央領域に表示し、自車両を操作するための情報を下方領域に表示する。このため、上側に行くに連れて処理周期が長くなる情報を表示することとなる。従って、ヒトの概念メタファーに基づいて表示する構成とすることができると共に、ヒトの情報処理ループである予測−行動−比較の階層構造的プロセスに沿って表示することが可能となる。よって、ヒトとしての運転者は、情報をレベル毎に再構築しなくてよくなり、ドライバ・ディストラクション（driver distraction）を低減することが可能となる。
【００１８】
なお、概念メタファーとは、認知言語学の用語であり、「ある概念領域を別の概念領域を用いて理解する事」と定義される。
【００１９】
前記上方領域及び前記中央領域の組み合わせ又は前記中央領域及び前記下方領域の組み合わせは、一体として形成されてもよい。
また、前記上方領域、前記中央領域及び前記下方領域は、一体として形成されてもよい。これにより、表示器が―体となるため、運転者は、ヒトの情報処理ループである予測−行動−比較の階層構造的プロセスに沿って情報を理解し易くなり、さらにドライバ・ディストラクションを低減することが可能となる。
【００２０】
前記中央領城に表示される情報と前記下方領域に表示される情報とが互いに連動して表示されてもよい。中央領域と下方領域とが連動することにより、運転者は、ヒトの情報処理ループである予測−行動−比較の階層構造的プロセスに沿って理解し易くなり、さらにドライバ・ディストラクションを低減することが可能となる。
【００２１】
前記表示装置は、目的地を設定し、前記目的地までを案内するナビゲーション手段を備え、前記自車両の将来との関係で前記自車両の空間的又は時間的関係を示す情報は、前記目的地への行程での天気情報、前記目的地への行程での渋滞情報又は前記目的地への行程での経路案内情報であり、前記自車両の周囲の物体との位置関係を示す情報は、前記自車両と前記自車両の周囲の車両との位置関係情報、前記自車両の方向指示器情報、又は前記自車両と前記自車両の走行している道路の白線との位置関係情報であり、前記自車両を操作するための情報は、前記自車両の車速情報、前記自車両のエンジン回転数情報、又は前記自車両の内部に関わる警報であってもよい。
【００２２】
上記によれば、比較的汎用性の高い情報について、ヒトの概念メタファーに基づいて表示する構成とすることができると共に、ヒトの情報処理ループである予測−行動−比較の階層構造的プロセスに沿って表示することが可能となる。よって、ヒトとしての運転者は、このような比較的汎用性の高い情報についてレベル毎に再構築しなくてよくなり、さらにドライバ・ディストラクションを低減することが可能となる。
【００２３】
この発明に係る車両は、表示部と、前記表示部の表示を制御する表示制御装置とを備えるものであって、さらに、前記車両は、前記車両の現在地と目的地との空間的又は時間的関係に関する情報（以下「空間／時間的情報」という。）を検出する空間／時間的情報検出手段と、前記車両の周囲の障害物に関する情報（以下「周囲情報」という。）を検出する周囲情報検出手段と、前記車両の操作に関する値（以下「操作関連値」という。）を検出する操作関連値検出手段とを備え、前記表示制御装置は、前記空間／時間的情報検出手段からの前記空間／時間的情報を、前記表示部の表示領域のうち上方領域に表示させ、前記周囲情報検出手段からの前記周囲情報を、前記表示領域のうち中央領域に表示させ、前記操作関連値検出手段からの前記操作関連値を、前記表示領域のうち下方領域に表示させることを特徴とする。
前記上方領域及び前記中央領域の組み合わせ又は前記中央領域及び前記下方領域の組み合わせは、一体として形成されてもよい。
【００２４】
この発明に係る車両は、表示部と、前記表示部の表示を制御する表示制御装置とを備えるものであって、前記表示制御装置は、運転に関する上位情報を表示する上位情報表示領域と、運転に関する中位情報を表示する中位情報表示領域と、運転に関する下位情報を表示する下位情報表示領域とを前記表示部の表示領域について設定し、前記上位情報は、前記車両の現在地と目的地との空間的又は時間的関係に関する情報（以下「空間的／時間的情報」という。）と、前記目的地までの予定経路に関する情報（以下「予定経路情報」という。）と、運転を開始するために乗員が行うべき前提条件に関する情報（以下「前提条件情報」という。）と、前記空間的／時間的情報、前記予定経路情報又は前記前提条件情報に関する前記車両の一部の異常に関する情報との少なくとも１つを含み、前記中位情報は、前記車両の周囲との関係に関する情報（以下「周囲情報」という。）と、運転者の覚醒状態又は健康状態に関する情報（以下「覚醒／健康状態情報」という。）と、方向指示器の指示方向と、前記周囲情報、前記覚醒／健康状態情報又は前記方向指示器に関する前記車両の一部の異常に関する情報との少なくとも１つを含み、前記下位情報は、前記車両の操作に関する少なくとも１つのセンサの値と、及び前記車両の操作に関する前記車両の一部の異常に関する情報との少なくとも１つを含み、前記表示制御装置は、前記上位情報表示領域を上側に、前記中位情報表示領域を中央に、及び前記下位情報表示領域を下側に並べて配置することを特徴とする。
前記上位情報表示領域及び前記中位情報表示領域の組み合わせ又は前記中位情報表示領域及び前記下位情報表示領域の組み合わせは、一体として形成されてもよい。
【発明の効果】
【００２５】
この発明によれば、表示器の表示領域は、車両の上下方向において上方領域、中央領域及び下方領域に分割され、自車両の将来との関係で自車両の空間的又は時間的関係を示す情報を上方領域に表示し、自車両の周囲の物体との位置関係を示す情報を中央領域に表示し、自車両を操作するための情報を下方領域に表示する。このため、上側に行くに連れて処理周期が長くなる情報を表示することとなる。従って、ヒトの概念メタファーに基づいて表示する構成とすることができると共に、ヒトの情報処理ループである予測−行動−比較の階層構造的プロセスに沿って表示することが可能となる。よって、ヒトとしての運転者は、情報をレベル毎に再構築しなくてよくなり、ドライバ・ディストラクションを低減することが可能となる。
【図面の簡単な説明】
【００２６】
【図１】この発明の一実施形態に係る表示装置を搭載した車両の概略構成図である。
【図２】前記車両の内部の様子を簡略的に示す図である。
【図３】表示パネルにおける情報表示領域の区分及び表示内容を説明するための図である。
【図４】前記情報表示領域に表示する情報の内容を区分毎に示す図である。
【図５】前記情報表示領域の表示に関する第１例を示す図である。
【図６】前記情報表示領域の表示に関する第２例を示す図である。
【図７】前記情報表示領域の表示に関する第３例を示す図である。
【図８】前記情報表示領域の表示に関する第４例を示す図である。
【図９】変形例に係る車両の内部の様子を簡略的に示す図である。
【図１０】運転行動の時間的階層モデルを示す図である。
【発明を実施するための形態】
【００２７】
Ａ．一実施形態
１．全体的な構成の説明
［１−１．全体構成］
図１は、この発明の一実施形態に係る表示装置２２を搭載した車両１０の概略構成図である。図１に示すように、車両１０は、ナビゲーション装置１２、安全運転開始条件監視群１４、周囲情報検出群１６、方向指示器１８、車両操作情報検出群２０及び表示装置２２を有する。車両１０は、いわゆるハイブリッド車両であるが、ハイブリッド車両以外の車両、例えば、ガソリン車、電気自動車等であってもよい。車両１０は、左ハンドル車であるが、右ハンドル車であってもよい。
【００２８】
［１−２．ナビゲーション装置１２］
ナビゲーション装置１２は、ＧＰＳ（Global Positioning System）又は慣性航法を用いて車両１０の現在位置を検出し、運転者又はその他の乗員に対して目的地までの経路を案内する。ナビゲーション装置１２は、操作部３０、通信部３２、記憶部３４、演算部３６及びＥＴＣ車載器３８を有する。
【００２９】
操作部３０は、運転者等の乗員が操作入力を行う入力部として機能し、車両１０の目的地を入力することができる。通信部３２は、ＧＰＳ衛星からの信号（位置情報及び時刻情報）を受信する機能と、図示しない無線通信網（例えば、インターネット）を介して図示しない外部通信装置（例えば、サーバ）と通信する機能とを有する。
【００３０】
記憶部３４は、演算部３６が実行する各種のプログラムを記憶すると共に、地図情報データベース４０（以下「地図ＤＢ４０」という。）を有する。地図ＤＢ４０は、地図情報を蓄積したものであり、演算部３６が経路案内を行う際に用いられる。
【００３１】
演算部３６は、ナビゲーション装置１２で行う各種の制御又は処理を実行する。例えば、演算部３６は、操作部３０を介して入力された目的地との空間的（地理的）又は時間的関係に関する情報を案内する。
【００３２】
目的地との空間的関係に関する情報としては、例えば、目的地までの経路（以下「予定経路」という。）、現在地（地図上の位置）及び目的地（地図上の位置）を含む。目的地との時間的関係に関する情報としては、例えば、到着推定時刻及び現時刻を含む。予定経路及び到着推定時刻の演算は、地図ＤＢ４０を用いて演算部３６自身が行ってもよいが、図示しない外部サーバに現在地、目的地等の情報を送信し、当該外部サーバに演算させてもよい。
【００３３】
また、演算部３６は、目的地又は予定経路に関する情報を案内する。目的地に関する情報としては、例えば、現在の天気、天気予報、各種施設の位置／内容を含む。予定経路に関する情報としては、例えば、現在の天気、天気予報、現在の渋滞状況、渋滞予測、各種施設（例えば、休憩所）の位置／内容を含む。現在の天気、天気予報、現在の渋滞状況及び渋滞予測は、通信部３２を介して、演算部３６が、外部サーバから取得する。各種施設の位置／内容は、地図ＤＢ４０又は前記外部サーバから取得する。
【００３４】
ＥＴＣ車載器３８（ＥＴＣ：electronic toll collection）は、有料道路の出入り口又はその中間地点に設置されたＥＴＣゲート（図示せず）と通信を行って、料金の自動支払いに用いられる。
【００３５】
本実施形態において、ナビゲーション装置１２は、現時刻、現在地、目的地又は予定経路に関する情報を、図示しない配線又は無線通信により表示装置２２に出力する。
【００３６】
なお、上記のように、本実施形態では、表示装置２２を介して予定経路を案内可能であるため、表示装置２２は、ナビゲーション装置１２の一部としても機能する。
【００３７】
［１−３．安全運転開始条件監視群１４］
安全運転開始条件監視群１４（以下「群１４」ともいう。）は、安全運転をするために運転者等の乗員が行うべき前提条件を監視するシステム又は装置からなる。群１４は、補助拘束システム５０（以下「ＳＲＳ５０」ともいう。）と、飲酒運転防止装置５２と、ドアシステム５４とを有する。
【００３８】
ＳＲＳ５０は、図示しないエアバッグを備え、必要に応じてエアバッグを展開させる。本実施形態のＳＲＳ５０は、図示しないシートベルトの装着状態を監視し、シートに乗員が座っているにもかかわらず、シートベルトが装着されていない場合、警告する。
【００３９】
飲酒運転防止装置５２は、運転者が飲酒しているか否かを判定し、飲酒していると判定した場合、車両１０の運転を禁止する。飲酒運転防止装置５２としては、例えば、特開２００９−０８３８２５号公報に記載のものを用いることができる。
【００４０】
ドアシステム５４は、各ドア又はトランクの開閉状態を監視する。
【００４１】
［１−４．周囲情報検出群１６］
周囲情報検出群１６（以下「群１６」ともいう。）は、車両１０の周囲（障害物、路面等）との関係に関する情報を検出するシステム又は装置からなる。群１６は、周辺監視装置６０と、アダプティブ・クルーズ・コントロール・システム６２（以下「ＡＣＣＳ６２」という。）と、車線維持支援システム６４（以下「ＬＫＡＳ６４」という。）（ＬＫＡＳ：Lane Keeping Assist System）と、追突被害軽減ブレーキシステム６６（以下「ＣＭＢＳ６６」という。）（ＣＭＢＳ：Collision Mitigation Brake System）と、アンチロック・ブレーキ・システム６８（以下「ＡＢＳ６８」という。）と、居眠り検知システム７０とを有する。
【００４２】
周辺監視装置６０は、車両１０の前方、側方及び後方を監視し、障害物（例えば、ヒト、動物又は周辺車両）の存在を検出して運転者に報知する。周辺監視装置６０は、いずれも図示しない前方カメラ、側方カメラ及び後方カメラを有する。前方カメラは、車両１０の前方を確認するため、例えば、ヒト又は動物の飛び出し検知に用いられる。前方カメラの代わりに又は前方カメラに加えて、車両１０の前方を走査する前方レーザレーダを設けてもよい。前方カメラ及び前方レーザレーダの少なくとも一方は、ＡＣＣＳ６２、ＬＫＡＳ６４及びＣＭＢＳ６６のために用いることもできる。
【００４３】
側方カメラは、車両１０の側方を確認するためのもの、より具体的には、運転者が車両１０の側方を見るため、及び障害物（例えば、ヒト、動物、壁又は側方車両）の接近を運転者に通知するために用いられる。側方カメラの画像（側方画像）は、操作スイッチ７４（図２）への操作を介して表示装置２２に表示することができる。後方カメラは、車両１０の後方を確認するためのもの、具体的には、運転者が車両１０の後方を見るため、及び障害物（例えば、ヒト、動物、壁又は後方車両）の接近を運転者に通知するために用いられる。後方カメラの画像（後方画像）は、車両１０が後退しているとき、表示装置２２に自動的に表示される。
【００４４】
ＡＣＣＳ６２は、車両１０と同一車線上で車両１０の直ぐ手前を走行している別の車両（以下「先行車」という。）との間隔を自動的に維持すると共に、前方の所定距離内に先行車がいない場合、アクセルペダル（図示せず）の操作なしに、事前に設定された車速（クルーズ車速）で走行する。ＡＣＣＳ６２は、例えば、周辺監視装置６０の前方カメラ及び前方レーザレーダの少なくとも一方を用いて先行車を検出し、アダプティブ・クルーズ・コントロール（ＡＣＣ）を行う。
【００４５】
ＬＫＡＳ６４は、前記前方カメラからの画像を用いて車線を認識し、ステアリング７２（図２）の操舵を補助する。すなわち、ＬＫＡＳ６４は、認識した車線に応じて車両１０の進行方向を判定し、進行方向に応じた操舵をすることができるように、ステアリング反力（アシスト力）を調整する。ステアリング反力の調整は、後述する電動パワーステアリング装置８４が管理するため、ＬＫＡＳ６４は、電動パワーステアリング装置８４との通信を介してステアリング反力を制御する。
【００４６】
ＣＭＢＳ６６は、前記前方カメラからの画像（前方画像）及び前記前方レーザレーダからの出力波の反射波の少なくとも一方に基づいて車両１０と先行車との衝突の可能性を検出し、自動ブレーキを行うと共に、追突の危険を運転者に知らせる。追突の危険を運転者に知らせる方法としては、例えば、ＳＲＳ５０を介してシートベルト（図示せず）を自動的にきつくする、音声案内する、表示装置２２に警告表示を行う等を用いることができる。
【００４７】
なお、ここでは、周辺監視装置６０、ＡＣＣＳ６２、ＬＫＡＳ６４及びＣＭＢＳ６６を別々のシステム又は装置として記載したが、複数の機能をまとめたシステム又は装置とすることもできる。
【００４８】
ＡＢＳ６８は、ブレーキ時に車輪がロックしないように制動力を調整し、車両１０の滑走を防止する装置である。ＡＢＳ６８は、図示しない車輪速センサを備え、車輪のロック状態を監視する。ＡＢＳ６８は、前記車輪速センサが検出した車輪速を用いて路面の摩擦状態（路面μ）を推定することができると共に、推定した路面μに基づいて路面が凍結しているか否か（走行路が凍結路であるか否か）を判定することができる。なお、前記車輪速センサは、後述する車速センサ１０２に用いることもできる。
【００４９】
居眠り検知システム７０は、運転者の居眠りを検知し、運転者に警告する。居眠り検知システム７０としては、例えば、特開平１０−２７８５４１号公報に記載のものを用いることができる。
【００５０】
［１−５．方向指示器１８］
方向指示器１８は、運転者が操作する操作子（図示せず）と、操作子の操作を検出し、検出した操作に応じて方向指示ランプを制御する方向指示電子制御装置（以下「方向指示ＥＣＵ」という。）（図示せず）とを有する。本実施形態では、方向指示ＥＣＵは、操作子への入力内容を表示装置２２に通知する。当該通知を受けた表示装置２２は、入力内容に応じた表示を行う。
【００５１】
［１−６．車両操作情報検出群２０］
車両操作情報検出群２０（以下「群２０」ともいう。）は、車両１０の操作に関する情報を検出するシステム又は装置からなる。群２０は、エンジン制御システム８０（以下「ＥＮＧシステム８０」という。）と、タイヤ圧監視システム８２（以下「ＴＰＭＳ８２」という。）と、電動パワーステアリング装置８４（以下「ＥＰＳ８４」という。）と、トラクション・コントロール・システム８６（以下「ＴＣＳ８６」という。）と、燃料噴射制御システム８８（以下「ＦＩシステム８８」という。）と、バッテリ制御システム９０（以下「ＢＡＴシステム９０」という。）と、照明装置９２とを有する。
【００５２】
ＥＮＧシステム８０は、走行用のエンジン１００（以下「ＥＮＧ１００」ともいう。）と、車速センサ１０２と、エンジン回転数センサ１０４（「Ｎｅセンサ１０４」ともいう。）と、水温計１０６と、エンジン電子制御装置１０８（以下「ＥＮＧ  ＥＣＵ１０８」という。）とを有する。
【００５３】
車速センサ１０２は、車両１０の車速Ｖ［ｋｍ／ｈ］を検出する。Ｎｅセンサ１０４は、エンジン１００の回転数（以下「エンジン回転数Ｎｅ」という。）［ｒｐｍ］を検出する。水温計１０６は、エンジン１００の冷却水の温度（以下「冷却水温Ｔｅ」という。）［℃］を検出する。ＥＮＧ  ＥＣＵ１０８は、図示しないアクセルペダルの操作量、車速Ｖ、エンジン回転数Ｎｅ、冷却水温Ｔｅ等に応じてエンジン１００の出力を制御する。
【００５４】
ＴＰＭＳ８２は、図示しない各タイヤの空気圧（以下「タイヤ空気圧」という。）を監視し、タイヤ空気圧に異常が発生した場合、表示装置２２等を用いて運転者に警告する。
【００５５】
ＥＰＳ８４は、ステアリング７２の操舵を補助するものであり、図示しないモータ（ＥＰＳモータ）等を備え、ステアリング反力（アシスト力）を制御する。本実施形態のＥＰＳ８４は、ステアリング７２の舵角に基づいて車両１０のふらつきを検出する。
【００５６】
ＴＣＳ８６は、発進時又は加速時のタイヤの空転を防止する装置である。ＴＣＳ８６は、前記車輪速センサからの出力に基づき車輪の空転状態を監視する。
【００５７】
ＦＩシステム８８は、エンジン１００に供給される燃料（ここでは、ガソリン）の供給に関するシステムであり、燃料計１１０と、燃料噴射電子制御装置１１２（以下「ＦＩ  ＥＣＵ１１２」という。）とを有する。燃料計１１０は、燃料の残量（以下「残量Ｑｆ」という。）［ｌ］を検出する。ＦＩ  ＥＣＵ１１２は、ＥＮＧ  ＥＣＵ１０８からの指令に応じて燃料をエンジン１００に供給すると共に、表示装置２２に残量Ｑｆを表示させる。
【００５８】
ＢＡＴシステム９０は、バッテリ１２０と、ＳＯＣセンサ１２２と、バッテリ電子制御装置１２４（以下「ＢＡＴ  ＥＣＵ１２４」という。）とを有する。バッテリ１２０は、車両１０の走行モータ（図示せず）に供給する電力を蓄積する。ＳＯＣセンサ１２２は、バッテリ１２０の残容量（ＳＯＣ：State of Charge）［％］を検出する。ＢＡＴ  ＥＣＵ１２４は、バッテリ１２０のＳＯＣ等を用いてバッテリ１２０の出力を制御する。
【００５９】
照明装置９２は、ヘッドライト１２６等の照明器と、これらの照明器を制御する照明制御装置（図示せず）とを有する。
【００６０】
［１−７．表示装置２２］
（１−７−１．表示装置２２の全体構成）
図２は、車両１０の内部の様子を簡略的に示す図である。図１及び図２に示すように、表示装置２２は、表示パネル１３０（表示器）と、表示電子制御装置１３２（以下「表示ＥＣＵ１３２」という。）とを有する。
【００６１】
（１−７−２．表示パネル１３０）
図２に示すように、表示パネル１３０は、インスツルメントパネル１３４内に設けられ、表示ＥＣＵ１３２からの出力信号（表示信号Ｓｄ）に基づき各種の表示を行う。本実施形態の表示パネル１３０は、車幅方向に比較的長い（例えば、運転席と同等の幅を有する。）。このため、表示パネル１３０において比較的多くの表示を同時に表示することができる。本実施形態では、車両１０の運転時に利用する各種の情報を表示する情報表示領域１４０を表示パネル１３０に表示させる。
【００６２】
（１−７−３．表示ＥＣＵ１３２）
表示ＥＣＵ１３２は、各部からの入力信号に基づき表示パネル１３０を制御する。図１に示すように、表示ＥＣＵ１３２は、入出力部１５０、演算部１５２及び記憶部１５４を有する。
【００６３】
入出力部１５０は、ナビゲーション装置１２、安全運転開始条件監視群１４、周囲情報検出群１６、方向指示器１８、車両操作情報検出群２０及び表示パネル１３０との間の信号の送受信に用いられる。さらに、入出力部１５０は、図示しないスピーカを有し、経路案内、各種の警告の際に音声出力を行ってもよい。
【００６４】
演算部１５２は、表示装置２２が行う各種制御を実行するものであり、表示パネル１３０の表示制御を含む。演算部１５２は、表示制御の一部として、上方領域制御機能、中央領域制御機能及び下方領域制御機能を含む。これらの機能の詳細は、後述する。
【００６５】
記憶部１５４は、演算部１５２が用いる各種のプログラム及びデータを記憶する。
【００６６】
２．表示装置２２における表示制御
［２−１．概要］
次に、表示ＥＣＵ１３２が行う表示制御について説明する。
【００６７】
図３は、表示パネル１３０における情報表示領域１４０の区分及び表示内容を説明するための図である。図４は、情報表示領域１４０に表示する情報の内容を区分毎に示す図である。図５〜図８は、情報表示領域１４０の表示に関する第１例〜第４例を示す図である。
【００６８】
図３に示すように、表示ＥＣＵ１３２は、表示パネル１３０における情報表示領域１４０を、上方領域１６０、中央領域１６２及び下方領域１６４に分けて制御する。すなわち、上方領域制御機能により上方領域１６０の表示を制御し、中央領域制御機能により中央領域１６２の表示を制御し、下方領域制御機能により下方領域１６４の表示を制御する。
【００６９】
図３に示すように、上方領域１６０、中央領域１６２及び下方領域１６４は、表示パネル１３０に一体的に且つ連続的に表示される。本実施形態の情報表示領域１４０の背景２００の色は同一色（例えば、黒色）とする。上方領域１６０及び中央領域１６２の間の境界線１６６ａと、中央領域１６２及び下方領域１６４の間の境界線１６６ｂは、必要に応じて上下方向に変化させてもよい。また、後述するように、上方領域１６０、中央領域１６２及び下方領域１６４は、それぞれが離間していてもよい。なお、境界線１６６ａ、１６６ｂは、上方領域１６０、中央領域１６２及び下方領域１６４の境界を説明するために便宜的に示したものであり、実際の情報表示領域１４０には表示されない（図５〜図８参照）。
【００７０】
［２−２．上方領域１６０］
（２−２−１．表示内容）
上方領域１６０には、上位レベルの情報、すなわち、非特許文献１でいうところの「戦術レベル（レベルＢ）」の情報を表示する。上記のように、戦術レベル（レベルＢ）は、戦略レベル（レベルＡ）で計画した行程又は予定到着時間を実現又は確認するための情報（例えば、空間的（地理的）又は時間的情報）に関する行動に関するレベルであり、処理周期が２番目に長い（図１０参照）。戦術レベルの行動には、例えば、現在地の確認、目的地までの距離の確認、案内標識の確認、現在地から目的地までの予定経路（通過予定地点、通過予定道路又は右左折を予定している交差点）の設定又は確認、現時刻の確認、現在地から目的地までの予想所用時間の確認（渋滞情報の確認を含む）及び到着予定時間の修正が含まれる。
【００７１】
図４に示すように、本実施形態では、車両１０の現在地と目的地との空間的又は時間的関係に関する情報、目的地又は予定経路に関する情報、安全運転をするための前提条件（換言すると、運転を開始するために乗員が行うべき前提条件）に関する情報及び上記各情報に関する車両１０各部の異常に関する情報を上方領域１６０に表示する。
【００７２】
現在地と目的地との空間的関係に関する情報としては、例えば、車両１０の目的地までの経路（以下「予定経路」という。）、現在地（地図上の位置）及び目的地（地図上の位置）を挙げることができる。現在地と目的地との時間的関係に関する情報としては、例えば、到着推定時刻及び現時刻を挙げることができる。予定経路及び到着推定時刻の演算は、地図ＤＢ４０を用いて演算部１５２自身が行ってもよいが、図示しない外部サーバに現在地、目的地等の情報を送信し、当該外部サーバに演算させてもよい。
【００７３】
目的地に関する情報としては、例えば、現在の天気、天気予報、各種施設の位置／内容を挙げることができる。予定経路に関する情報としては、例えば、現在の天気、天気予報、現在の渋滞状況、渋滞予測、各種施設（例えば、休憩所）の位置／内容を挙げることができる。現在の天気、天気予報、現在の渋滞状況及び渋滞予測は、入出力部１５０及びナビゲーション装置１２の通信部３２を介して、演算部１５２が、外部サーバから演算する。
【００７４】
安全運転をするための前提条件に関する情報としては、例えば、シートベルトの装着状態、飲酒レベル及びドア又はトランクの開閉状態を挙げることができる。シートベルトの装着状態は、ＳＲＳ５０から取得する。また、飲酒レベルは、飲酒運転防止装置５２から取得する。ドア又はトランクの開閉状態は、ドアシステム５４から取得する。
【００７５】
上記各情報に関する車両１０の各部の異常に関する情報としては、例えば、ナビゲーション装置１２の異常、ＥＴＣ車載器３８の異常（例えば、ＥＴＣカードが挿入されていない）を挙げることができる。ナビゲーション装置１２の異常は、ナビゲーション装置１２の演算部３６から故障コードとして取得する。ＥＴＣ車載器３８の異常は、ＥＴＣ車載器３８から取得する。
【００７６】
（２−２−２．表示例）
上方領域１６０では、各種の情報を、文字、記号、アイコン等を用いて表示する。例えば、図３、図５及び図７に示すように経路案内のための矢印アイコン１７０を用いる。また、ＥＴＣゲート（図示せず）が接近している場合、図３及び図５に示すように「ＥＴＣ」の文字からなるアイコン１７２（以下「ＥＴＣアイコン１７２」という。）を表示して、ＥＴＣゲートの存在を運転者に知らせる。従って、ＥＴＣアイコン１７２を用いることで、例えば、高速道路の走行中に運転者に減速を促すことが可能となる。さらに、予定進路のうち所定距離以内に渋滞が発生している場合、図３に示すように「渋滞」の文字１７４を表示して、当該渋滞の存在を運転者に知らせる。
【００７７】
さらにまた、車両１０の走行路を示すアイコン１７６（以下「道路アイコン１７６」という。）を上方領域１６０、中央領域１６２及び下方領域１６４に跨って表示させる。走行路が分岐している場合、図５及び図７に示すように、分岐させた状態の道路アイコン１７６を表示する。道路アイコン１７６の形状は、地図ＤＢ４０に予め記憶されている。或いは、車両１０（自車）から所定距離までについては、道路アイコン１７６の形状を、ＬＫＡＳ６４からの出力に基づいて決定してもよい。
【００７８】
経路案内をする場合、上方領域１６０に地図を表示した状態で、現在地を示すアイコン（現在地アイコン）と予定進路の方向を示すアイコン（方向指示アイコン）を表示して、運転者に進行方向を示してもよい。また、例えば、上方領域１６０のいずれかの部位に現在時刻、到着予定時刻及び目的地に到着するまでの予定所用時間の少なくとも１つを文字で表示することもできる。
【００７９】
［２−３．中央領域１６２］
（２−３−１．表示内容）
中央領域１６２には、中位レベルの情報、すなわち、非特許文献１でいうところの「マヌーバレベル（レベルＣ）」の情報を表示する。マヌーバレベル（レベルＣ）は、現在の走行路又は周辺車両との関係で必要な行動に関するレベルであり、戦略レベル（レベルＡ）及び戦術レベル（レベルＢ）より短い処理周期である（図１０参照）。マヌーバレベルの行動には、例えば、カーブ進入、右左折、車線維持、車線変更、追越し及び車間維持が含まれる。
【００８０】
図４に示すように、本実施形態では、車両１０の周囲（障害物、路面等）との関係に関する情報、運転者の覚醒状態及び健康状態に関する情報、方向指示器１８の指示方向並びに上記各情報に関する車両各部の異常に関する情報を中央領域１６２に表示する。
【００８１】
周囲との関係に関する情報としては、例えば、歩行者又は動物の飛出し警報、後方車又は側方車の接近警報、ＡＣＣＳ６２のオン／オフ、ＬＫＡＳ６４のオン／オフ、ＣＭＢＳ６６のオン／オフ、側方又は後方のカメラ画像及び現在の走行路が凍結路であること（凍結路警報）を挙げることができる。
【００８２】
歩行者又は動物の飛出し警報は、周辺監視装置６０が検出した歩行者又は動物の位置、進行方向等により行うことができる。後方車又は側方車の接近警報は、周辺監視装置６０が検出した後方車又は側方車と車両１０とのＴＴＣ（Time to Collision）に基づいて行うことができる。ＡＣＣＳ６２のオン／オフ、ＬＫＡＳ６４のオン／オフ及びＣＭＢＳ６６のオン／オフは、ＡＣＣＳ６２、ＬＫＡＳ６４及びＣＭＢＳ６６からの出力に基づいて判定する。
【００８３】
側方又は後方のカメラ画像は、後方車又は側方車の接近警報の際に用いることができる。また、後方画像については、車両１０が後退するときに自動的に表示してもよい。
【００８４】
凍結路警報は、ＡＢＳ６８が検出した路面μに基づいて凍結路であるか否かを判定することで行うことができる。
【００８５】
運転者の覚醒状態及び健康状態に関する情報としては、例えば、居眠り警報、心拍数を挙げることができる。
【００８６】
上記各情報に関する車両１０の各部の異常に関する情報としては、例えば、ＡＣＣＳ６２、ＬＫＡＳ６４、ＣＭＢＳ６６及び方向指示器１８の異常を挙げることができる。ＡＣＣＳ６２、ＬＫＡＳ６４及びＣＭＢＳ６６の異常は、ＡＣＣＳ６２、ＬＫＡＳ６４、ＣＭＢＳ６６及び方向指示器１８からの出力（故障コード）に基づいて判定する。
【００８７】
（２−３−２．表示例）
中央領域１６２では、各種の情報を、文字、記号、アイコン等を用いて表示する。周辺監視装置６０については、前方カメラ、側方カメラ及び後方カメラの少なくとも１つの画像を表示してもよい。さらに、方向指示器１８の指示方向については、矢印アイコン（上方領域１６０における矢印アイコン１７０と同様のもの）で表示することもできる。
【００８８】
例えば、車両１０に先行車が存在する場合、図３、図５〜図７に示すように先行車アイコン１８０を表示する。中央領域１６２における先行車アイコン１８０の表示位置は、車両１０（自車）に対する先行車の位置に応じて上下左右に変化させることができる。また、アダプティブ・クルーズ・コントロール（ＡＣＣ）を実行中である場合、図３、図５及び図７に示すように先行車アイコン１８０の後方に楕円形のアイコン１８２（以下「ＡＣＣアイコン１８２」という。）を点滅表示させて、ＡＣＣを実行中である旨（ＡＣＣＳ６２が作動中である旨）を運転者に知らせる。ＡＣＣアイコン１８２が表示されていない場合、運転者は、ＡＣＣＳ６２が作動中でない旨を知ることができる。
【００８９】
さらに、ＣＭＢＳ６６が作動中であり、ＣＭＢＳ６６により先行車との距離を監視中である場合、図６に示すように、ＣＭＢＳ６６が出力する電波（レーザ）を示すアイコン１８４（以下「ＣＭＢＳアイコン１８４」という。）を表示させて、ＣＭＢＳ６６が作動中である旨を運転者に知らせる。ＣＭＢＳアイコン１８４が表示されていない場合、運転者は、ＣＭＢＳ６６が停止中であることを知ることができる。
【００９０】
進路中にいる又は進路に入ってくる障害物（ヒト、動物又は前側の周辺車両）がある場合、例えば、前方カメラからの画像を処理して当該障害物の位置及び進行方向を特定すると共に、パターンマッチングを行って当該障害物の種類を特定し、特定した種類の障害物を示すアイコン（以下「障害物アイコン」という。）を現在位置に対応する位置に表示すると共に、当該障害物の進行方向を矢印アイコン等で表示してもよい。
【００９１】
また、側方車又は後方車が車両１０に接近していることを周辺監視装置６０が検出した場合、先行車アイコン１８０の左側又は右側に当該接近を通知するメッセージ（例えば、「後方に車両接近中！」、「左側方に車両接近中！」）を中央領域１６２に文字で表示して運転者に注意喚起することができる。或いは、側方カメラからの側方画像（側方車が接近している側）又は後方カメラからの後方画像を中央領域１６２に表示してもよい。この場合、境界線１６６ａ（図３）を上方に変位させ、境界線１６６ｂを下方に変位させて中央領域１６２を上下方向に拡大することで側方画像又は後方画像を拡大表示してもよい。
【００９２】
さらに、ＬＫＡＳ６４が作動中である場合、例えば、道路アイコン１７６の線の色を通常色（例えば、黄色又は緑色）から際だつ色（例えば、白色）に変化させて、ＬＫＡＳ６４が作動中であることを知らせる。道路アイコン１７６の線が通常色のままである場合、運転者は、ＬＫＡＳ６４が停止中であることを知ることができる。或いは、ＬＫＡＳ６４が作動中である場合、道路アイコン１７６の線の輝度を通常時よりも高くして、ＬＫＡＳ６４が作動中であることを知らせてもよい。
【００９３】
車両１０が後退する場合、上下方向に中央領域１６２を広げ、後方カメラからの後方画像を中央領域１６２に表示させる。この場合、境界線１６６ａ（図３）を上方に変位させ、境界線１６６ｂを下方に変位させて中央領域１６２を上下方向に拡大することで後方画像を拡大表示してもよい。
【００９４】
方向指示器１８が操作されたため、方向指示を行う場合、先行車アイコン１８０の左側又は右側に方向指示のための矢印アイコン（上方領域１６０における矢印アイコン１７０と同様のもの）を表示する。
【００９５】
［２−４．下方領域１６４］
（２−４−１．表示内容）
下方領域１６４には、下位レベルの情報、すなわち、非特許文献１でいうところの「操作レベル（レベルＤ）」の情報を表示する。操作レベル（レベルＤ）は、車両１０の操作に関する操作レベルであり、２番目に処理周期が短い（図１０参照）。操作レベルの行動は、約３秒後の未来を予測して行う予測制御に関する。操作レベルの行動には、例えば、ステアリングの操舵、車両の加速（アクセルペダルの操作）及び制動（ブレーキペダルの操作）が含まれる。
【００９６】
図４に示すように、本実施形態では、車両１０の操作に関する車両１０の各種数値及び車両１０の操作に関する車両１０の各部の異常に関する情報を下方領域１６４に表示する。
【００９７】
車両１０の操作に関する車両１０の各種数値としては、例えば、車速Ｖ、エンジン回転数Ｎｅ、冷却水温Ｔｅ、ガソリン残量（ガソリン車の場合）、バッテリ１２０のＳＯＣ（電動車両の場合）、燃費（ガソリン車の場合）、電費（電動車両の場合）を挙げることができる。車両１０の操作に関する車両１０の各部の異常に関する情報としては、例えば、車両１０のふらつき、ＴＣＳ８６の異常、ヘッドライト１２６の異常、エンジン１００の異常、タイヤ空気圧の異常を挙げることができる。車両１０のふらつきは、ＥＰＳ８４のＥＣＵにおいてステアリング７２の舵角の変化を監視することで判定され、判定結果が表示ＥＣＵ１３２に出力される。ＴＣＳ８６の異常は、ＴＣＳ８６のＥＣＵからの故障コードに基づいて判定する。ヘッドライト１２６の異常は、照明装置９２からの故障コードに基づいて判定する。エンジン１００の異常は、ＥＮＧ  ＥＣＵ１０８からの故障コードに基づいて判定する。タイヤ空気圧の異常は、ＴＰＭＳ８２からの故障コードに基づいて判定する。
【００９８】
（２−４−２．表示例）
下方領域１６４では、各種の情報を、文字、記号、アイコン等を用いて表示する。その際、車速Ｖ、エンジン回転数Ｎｅ、冷却水温Ｔｅ、ガソリン残量、バッテリＳＯＣ、燃費、電費等については、回転式針（図３等の針１９４、１９８参照）又はバー表示等を用いることもできる。
【００９９】
例えば、図３、図５〜図８に示すように、車両１０（自車）を示すアイコン１９０（以下「自車アイコン１９０」という。）を表示する。自車アイコン１９０は、先行車アイコン１８０よりも下方に配置されることとなる。従って、中央領域１６２に表示する情報（先行車アイコン１８０）と下方領域１６４に表示する情報（自車アイコン１９０）とを互いに関連付けて（連動させて）表示することができる。
【０１００】
下方領域１６４における自車アイコン１９０の上下方向の表示位置は固定しているが、自車アイコン１９０の左右方向の位置は、ＬＫＡＳ６４の出力に応じて変化させることができる。
【０１０１】
また、車速Ｖを示すアイコン１９２（以下「車速アイコン１９２」という。）を自車アイコン１９０の左側に表示し、車速センサ１０２が検出した車速Ｖに対応させて針１９４を変位させる。さらに、エンジン回転数Ｎｅを示すタコメータのアイコン１９６（以下「タコメータアイコン１９６」という。）を自車アイコン１９０の右側に表示し、エンジン回転数センサ１０４が検出したエンジン回転数Ｎｅに対応させて針１９８を変位させる。
【０１０２】
さらにまた、ＥＰＳ８４が車両１０のふらつきを検出した場合、自車アイコン１９０の背景２００を警告色（例えば、赤色）に変化させて運転者に警告する。図７における自車アイコン１９０周囲の一点鎖線の円は、警告色を変化させる領域を示している。加えて、エンジン１００、タイヤ空気圧等の異常が発生したため、車両１０を走行路の側方に停止させることを要求する場合、道路アイコン１７６が示す走行路のうち路肩周辺に車両１０のアイコン２０２（以下「停車要求時自車アイコン２０２」又は「自車アイコン２０２」という。）（図８）を表示すると共に、自車アイコン２０２の背景２００の表示色を注意喚起色（例えば、黄色）に変化させる。その際、自車アイコン２０２の表示色を変化させてもよい。図８における自車アイコン２０２の周囲の破線の円は、前記表示色を変化させる領域を示す。
【０１０３】
３．本実施形態の効果
以上説明したように、本実施形態によれば、情報表示領域１４０は、車両１０の上下方向において上方領域１６０、中央領域１６２及び下方領域１６４に分割される（図３参照）。上方領域１６０には、車両１０（自車両）の将来との関係で（例えば、現在地と目的地との関係で）車両１０の空間的又は時間的関係を示す情報を表示し、中央領域１６２には、車両１０の周囲との位置関係を示す情報を表示し、下方領域１６４には、車両１０を操作するための情報を表示する（図４参照）。このため、情報表示領域１４０の上側に行くに連れて処理周期を要する情報を表示することとなる。従って、ヒトの概念メタファーに基づいて表示する構成とすることができると共に、ヒトの情報処理ループである予測−行動−比較の階層構造的プロセスに沿って表示することが可能となる。よって、ヒトとしての運転者は、情報をレベル毎に再構築しなくてよくなり、ドライバ・ディストラクションを低減することが可能となる。
【０１０４】
本実施形態において、上方領域１６０、中央領域１６２及び下方領域１６４は、一体として形成される（図２及び図３参照）。これにより、表示パネル１３０が―体となるため、運転者は、ヒトの情報処理ループである予測−行動−比較の階層構造的プロセスに沿って情報を理解し易くなり、さらにドライバ・ディストラクションを低減することが可能となる。
【０１０５】
本実施形態において、中央領域１６２に表示される情報としての先行車アイコン１８０、ＡＣＣアイコン１８２、ＣＭＢＳアイコン１８４等と、下方領域１６４に表示される情報としての自車アイコン１９０等が互いに連動して（関連付けて）表示される。中央領域１６２と下方領域１６４とが連動することにより、運転者は、ヒトの情報処理ループである予測−行動−比較の階層構造的プロセスに沿って理解し易くなり、さらにドライバ・ディストラクションを低減することが可能となる。
【０１０６】
本実施形態において、上方領域１６０に表示される情報には、目的地及び予定経路での天気情報、目的地及び予定経路での渋滞情報並びに経路案内情報が含まれる（図４参照）。また、中央領域１６２に表示される情報には、車両１０と先行車との位置関係情報（先行車アイコン１８０と自車アイコン１９０との位置関係情報）、方向指示器１８の情報及び車両１０とその走行路の白線との位置関係情報（自車アイコン１９０と道路アイコン１７６の位置関係情報）が含まれる（図３、図４参照）。さらに、下方領域１６４に表示される情報には、車速Ｖ、エンジン回転数Ｎｅ又は車両１０の内部に関わる警報（例えば、ＥＰＳ８４、ＴＣＳ８６、エンジン１００、ヘッドライト１２６、タイヤ空気圧の異常に関する警報）が含まれる（図４）。
【０１０７】
上記によれば、比較的汎用性の高い情報について、ヒトの概念メタファーに基づいて表示する構成とすることができると共に、ヒトの情報処理ループである予測−行動−比較の階層構造的プロセスに沿って表示することが可能となる。よって、ヒトとしての運転者は、このような比較的汎用性の高い情報についてレベル毎に再構築しなくてよくなり、さらにドライバ・ディストラクションを低減することが可能となる。
【０１０８】
Ｂ．変形例
なお、この発明は、上記実施形態に限らず、この明細書の記載内容に基づき、種々の構成を採り得ることはもちろんである。例えば、以下の構成を採用することができる。
【０１０９】
１．搭載対象
上記実施形態では、表示装置２２を車両１０に搭載したが、乗員（運転者以外の者を含む。）が確認するための情報を表示する移動体又は可動装置であれば、これに限らず、別の対象に搭載してもよい。
【０１１０】
２．上位（戦術）レベルに関する情報を検出する手段（空間／時間的情報検出手段又は上位情報検出手段）
［２−１．ナビゲーション手段としてのナビゲーション装置１２］
上記実施形態では、経路案内を行うための手段として、車両１０に搭載されたナビゲーション装置１２を用いたが、経路案内を行う観点からすれば、これに限らない。例えば、図示しない携帯通信端末（例えば、スマートフォン、ノート型パーソナルコンピュータ）を用いて経路案内を行うこともできる。この場合、当該携帯通信端末を有線又は無線により表示装置２２と接続する。
【０１１１】
［２−２．安全運転開始条件監視群１４］
上記実施形態では、安全運転開始条件監視群１４には、ＳＲＳ５０、飲酒運転防止装置５２及びドアシステム５４を含めたが、安全運転をするために運転者等の乗員が行うべき前提条件（運転を開始するために乗員が行うべき前提条件）を監視するシステム又は装置という観点からすれば、これに限らない。例えば、安全運転開始条件監視群１４には、ＳＲＳ５０、飲酒運転防止装置５２及びドアシステム５４のうち１つ又は２つのみを含めてもよい。
【０１１２】
［２−３．その他］
上記実施形態では、上位（戦術）レベルに関する情報を検出する手段（空間／時間的情報検出手段又は上位情報検出手段）として、ナビゲーション装置１２及び安全運転開始条件監視群１４を含めたが、上位（戦術）レベルに関する情報を検出する観点からすれば、これに限らない。例えば、ナビゲーション装置１２及び安全運転開始条件監視群１４の一方のみを空間／時間的情報検出手段又は上位情報検出手段として用いてもよい。
【０１１３】
３．中位（マヌーバ）レベルに関する情報を検出する手段（周囲情報検出手段又は中位情報検出手段）
上記実施形態では、中位（マヌーバ）レベルに関する情報を検出する手段（周囲情報検出手段又は中位情報検出手段）としての周囲情報検出群１６は、周辺監視装置６０、ＡＣＣＳ６２、ＬＫＡＳ６４、ＣＭＢＳ６６、ＡＢＳ６８及び居眠り検知システム７０を含んでいたが、中位（マヌーバ）レベルに関する情報を検出するシステム又は装置という観点からすれば、これに限らない。例えば、周囲情報検出群１６には、周辺監視装置６０、ＡＣＣＳ６２、ＬＫＡＳ６４、ＣＭＢＳ６６、ＡＢＳ６８及び居眠り検知システム７０のうちいくつかのみを含めてもよい。
【０１１４】
４．下位（操作）レベルに関する情報を検出する手段（操作関連値検出手段又は下位情報検出手段）
上記実施形態では、下位（操作）レベルに関する情報を検出する手段（操作関連値検出手段又は下位情報検出手段）としての車両操作情報検出群２０は、ＥＮＧシステム８０、ＴＰＭＳ８２、ＥＰＳ８４、ＴＣＳ８６、ＦＩシステム８８、ＢＡＴシステム９０及び照明装置９２を含んでいたが、下位（操作）レベルに関する情報を検出するシステム又は装置という観点からすれば、これに限らない。例えば、操作関連値検出手段又は下位情報検出手段には、ＥＮＧシステム８０、ＴＰＭＳ８２、ＥＰＳ８４、ＴＣＳ８６、ＦＩシステム８８、ＢＡＴシステム９０及び照明装置９２のうちいくつかのみを含めてもよい。
【０１１５】
５．表示器又は表示部の表示領域（情報表示領域１４０）
上記実施形態では、上方領域１６０（上位情報表示領域）、中央領域１６２（中位情報表示領域）及び下方領域１６４（下位情報表示領域）を一体的に構成したが（図３等参照）、車両１０の上下方向（高さ方向）に並べて配置する観点からすれば、各領域を離間させて配置してもよい。或いは、３つの領域１６０、１６２、１６４のうち上方領域１６０又は下方領域１６４を他の２つの領域から離間させて配置することもできる。
【０１１６】
図９は、変形例に係る車両１０Ａの内部の様子を簡略的に示す図である。車両１０Ａは、右ハンドル車である。図９に示すように、車両１０Ａの表示装置２２ａは、情報表示領域１４０ａを構成する上方領域１６０ａ、中央領域１６２ａ及び下方領域１６４ａが互いに離間して配置されている。すなわち、表示装置２２ａは、上方領域１６０ａを形成する表示パネル２１０ａと、中央領域１６２ａを形成する表示パネル２１０ｂと、下方領域１６４ａを形成する表示パネル２１０ｃを含む。表示パネル２１０ａ、２１０ｂは、インスツルメントパネル１３４に配置し、表示パネル２１０ｃは、ステアリング７２に配置する。図９の変形例では、上記実施形態と異なり、中央領域１６２ａに表示される情報と下方領域１６４ａに表示される情報とは互いに連動していない。
【０１１７】
上記実施形態では、表示ＥＣＵ１３２の機能を上方領域制御機能、中央領域制御機能及び下方領域制御機能に分けたが、情報表示領域１４０の表示を制御する観点からすれば、１つのまとまった機能により上方領域１６０、中央領域１６２及び下方領域１６４の表示を制御してもよい。同様に、上方領域１６０、中央領域１６２及び下方領域１６４のうち２つの領域の機能を１つの機能で制御し、残りの機能を別の機能で制御することも可能である。
【０１１８】
上記実施形態及び図９の変形例では、情報表示領域１４０、１４０ａに表示する情報を３つの階層（上位（戦術）レベル、中位（マヌーバ）レベル及び下位（操作）レベル）に区分したが、比較的長い処理周期の情報を上方に、比較的短い処理周期の情報を下方に表示する観点からすれば、階層又はレベルは、２つ又は４つ以上であってもよい。例えば、非特許文献１では、レベルＡ〜Ｅまでの５階層あるが、レベルＡ（戦略レベル）の階層、レベルＢ（戦術レベル）の階層、レベルＣ（マヌーバレベル）の階層及びレベルＤ（操作レベル）の階層に分けてもよい。或いは、レベルＡ、Ｂ（戦略、戦術レベル）の組合せの階層、レベルＣ（マヌーバレベル）の階層及びレベルＤ（操作レベル）の階層に分けてもよい。或いは、レベルＡ〜Ｄのうちの２つのみ（例えば、レベルＢ、Ｃのみ、レベルＢ、Ｄのみ又はレベルＣ、Ｄのみ）を表示してもよい。
【０１１９】
上記実施形態では、上方領域１６０、中央領域１６２及び下方領域１６４を表示する表示パネル１３０をインスツルメントパネル１３４に配置し、図９の変形例では、上方領域１６０ａ及び中央領域１６２ａを表示する表示パネル２１０ａ、２１０ｂをインスツルメントパネル１３４に配置し、下方領域１６４ａを表示する表示パネル２１０ｃをステアリング７２に配置したが、異なるレベルに属する情報を車両１０、１０Ａの高さ方向に並べて配置する観点からすれば、これに限らない。例えば、図示しないヘッド・アップ・ディスプレイ（ＨＵＤ）の画像をフロントガラスに投影させる構成にも本発明を適用可能である。
【０１２０】
ＨＵＤを用いる場合、上記実施形態の先行車アイコン１８０の代わりに、フロントガラス越しに見える実際の先行車との関係で文字、記号又はアイコン（ＡＣＣアイコン１８２、ＣＭＢＳアイコン１８４等）を表示してもよい。同様に、ＨＵＤを用いる場合、上記実施形態の道路アイコン１７６の代わりに、フロントガラス越しに見える実際の道路との関係で文字、記号又はアイコン（矢印アイコン１７０、ＥＴＣアイコン１７２、渋滞の文字１７４等）を表示してもよい。
【符号の説明】
【０１２１】
１０、１０Ａ…車両（自車両）
１２…ナビゲーション装置（ナビゲーション手段、空間／時間的情報検出手段）
１４…安全運転開始条件監視群（空間／時間的情報検出手段）
１６…周囲情報検出群（周囲情報検出手段）
１８…方向指示器
２０…車両操作情報検出群（周囲情報検出手段）
２２、２２ａ…表示装置
１３０、２１０ａ〜２１０ｄ…表示パネル（表示器、表示部）
１３２…表示ＥＣＵ（表示制御装置）      １６０…上方領域（上位情報表示領域）
１６２…中央領域（中位情報表示領域）    １６４…下方領域（下位情報表示領域）
【図１】
0005599848.tif 000002
【図２】
0005599848.tif 000003
【図３】
0005599848.tif 000004
【図４】
0005599848.tif 000005
【図５】
0005599848.tif 000006
【図６】
0005599848.tif 000007
【図７】
0005599848.tif 000008
【図８】
0005599848.tif 000009
【図９】
0005599848.tif 000010
【図１０】
0005599848.tif 000011